(57)【要約】【課題】壁貫通スリーブを水平軸に対して所望の角度で傾斜させて壁材に設置可能であり、尚且つ、フランジ部を壁面又は防水シートに対して近接配置可能である壁貫通スリーブ装置を提供する。【解決手段】壁貫通スリーブ装置は、壁材を貫通する壁貫通孔に配置される筒状部、及び、該筒状部から延在するフランジ部を備えた壁貫通スリーブと、壁面又は防水シートとフランジ部との間に配置され、フランジ部に当接する第１当接面、及び、壁面又は防水シートに当接する第２当接面を有し、壁貫通スリーブを水平軸に対して傾斜させるべく第１当接面及び第２当接面が互いに対して所定角度で傾斜したスペーサと、を備え、スペーサの第１当接面が傾斜方向においてフランジ部よりも短く形成されており、スペーサがフランジ部と壁面又は防水シートとの間の隙間を部分的に閉塞すると共に、隙間が最小となる位置でフランジ部及び壁面又は防水シートの間にスペーサが介在しない。【選択図】図１
2015078741.tif 000002
【特許請求の範囲】
【請求項１】
壁材を貫通する壁貫通孔に配置される筒状部、及び、該筒状部から延在するフランジ部を備えた壁貫通スリーブと、
壁面又は防水シートと前記フランジ部との間に配置され、前記フランジ部に当接する第１当接面、及び、前記壁面又は前記防水シートに当接する第２当接面を有し、前記壁貫通スリーブを水平軸に対して傾斜させるべく前記第１当接面及び前記第２当接面が互いに対して所定角度で傾斜したスペーサと、を備え、
前記スペーサの前記第１当接面が傾斜方向において前記フランジ部よりも短く形成されており、前記スペーサが前記フランジ部と前記壁面又は前記防水シートとの間の隙間を部分的に閉塞すると共に、前記隙間が最小となる位置で前記フランジ部及び前記壁面又は前記防水シートの間に前記スペーサが介在しないことを特徴とする壁貫通スリーブ装置。
【請求項２】
前記隙間が最大となる位置で前記フランジ部の上端が前記スペーサの前記第１当接面の上縁に当接し、且つ、前記フランジ部の下端が前記壁面又は前記防水シートに当接可能であることを特徴とする請求項１に記載の壁貫通スリーブ装置。
【請求項３】
前記スペーサの外周の一部には、前記フランジ部の外周面に当接可能な外枠部が形成されており、前記第１当接面から延びる前記外枠部の高さが前記フランジ部の厚みと等しいことを特徴とする請求項１又は２に記載の壁貫通スリーブ装置。
【請求項４】
前記筒状部は円筒形状を有し、且つ、前記スペーサには、前記筒状部の外径に対応する径を有する略円弧状の切り欠き部が設けられており、前記切り欠き部の開放端の幅が前記外径よりも狭いことを特徴とする請求項１から３のいずれか一項に記載の壁貫通スリーブ装置。
【請求項５】
壁材を貫通する壁貫通孔に配置される筒状部、及び、前記筒状部から延在するフランジ部を備えた壁貫通スリーブを水平軸に対して傾斜配置すべく、前記フランジ部と壁面又は防水シートとの間に配置されるスペーサであって、
前記フランジ部に当接する第１当接面と
該第１当接面に対して所定角度で傾斜した、前記壁面又は前記防水シートに当接する第２当接面と、を備え、
前記第１当接面が傾斜方向において前記フランジ部よりも短く形成されており、前記フランジ部と前記壁面又は前記防水シートとの間の隙間を部分的に閉塞すると共に、前記隙間が最小となる位置で前記フランジ部及び前記壁面又は前記防水シートの間に介在しないように構成されたことを特徴とするスペーサ。
【請求項６】
前記隙間が最大となる位置で前記フランジ部の上端と前記第１当接面の上縁とを当接させて、前記フランジ部の下端を前記壁面又は防水シートに当接可能であることを特徴とする請求項５に記載のスペーサ。
【請求項７】
外周の一部に前記フランジ部の外周面に当接可能な外枠部を備え、前記第１当接面から延びる前記外枠部の高さが前記フランジ部の厚みと等しいことを特徴とする請求項５又は６に記載のスペーサ。
【請求項８】
円筒形状を有する前記筒状部の外径に対応する径で形成された略円弧状の切り欠き部をさらに備え、前記切り欠き部の開放端の幅が前記外径よりも狭いことを特徴とする請求項５から７のいずれか一項に記載のスペーサ。
【請求項９】
壁材を貫通する壁貫通孔に配置される筒状部、及び、前記筒状部から延在するフランジ部を備えた壁貫通スリーブを傾斜姿勢で設置する方法であって、
第１当接面及び該第１当接面に対して所定角度で傾斜した第２当接面を備えるスペーサを選択する工程と、
壁面又は防水シートと前記フランジ部との間に前記スペーサを配置する工程と、
前記第１当接面を前記フランジ部に当接させると共に前記第２当接面を前記壁面又は前記防水シートに当接させることにより、前記壁貫通スリーブを水平軸に対して所望の角度で傾斜させて配置する工程と、を含み、
前記スペーサの前記第１当接面を傾斜方向において前記フランジ部よりも短く形成して、前記フランジ部と前記壁面又は前記防水シートとの間の隙間を前記スペーサで部分的に閉塞すると共に、前記隙間が最小となる位置で前記フランジ部及び前記壁面又は前記防水シートの間に前記スペーサを介在させないことを特徴とする壁貫通スリーブの設置方法。
【請求項１０】
前記隙間が最大となる位置で前記フランジ部の上端を前記スペーサの前記第１当接面の上縁に当接させ、且つ、前記フランジ部の下端を前記壁面又は前記防水シートに当接させた状態で、前記フランジ部の外周と前記壁面又は前記防水シートとの間を少なくとも部分的に閉塞する工程をさらに含むことを特徴とする請求項９に記載の壁貫通スリーブの設置方法。
【請求項１１】
壁材と、
該壁材を貫通する貫通孔と、
前記壁貫通孔に配置された筒状部、及び、該筒状部から延在するフランジ部を備える壁貫通スリーブと、
前記壁材の壁面又は防水シートと前記フランジ部との間に配置され、前記フランジ部に当接した第１当接面、及び、前記壁面又は前記防水シートに当接した第２当接面を有し、前記壁貫通スリーブが水平軸に対して傾斜するように前記第１当接面及び前記第２当接面が互いに対して所定角度で傾斜したスペーサと、を備え、
前記スペーサの前記第１当接面が傾斜方向において前記フランジ部よりも短く形成されており、前記スペーサが前記フランジ部と前記壁面又は前記防水シートとの間の隙間を部分的に閉塞していると共に、前記隙間が最小となる位置で前記フランジ部及び前記壁面又は前記防水シートの間に前記スペーサが介在していないことを特徴とする壁貫通スリーブの設置構造。
【発明の詳細な説明】
【技術分野】
【０００１】
本発明は、壁貫通スリーブ装置、スペーサ、壁貫通スリーブの設置方法及びその設置構造に関する。
【背景技術】
【０００２】
従来、換気用途又は配線・配管用途等で壁材の貫通孔に設置される種々の壁貫通スリーブが利用されている。これらの用途では、雨水等が屋外から屋内に流入することを防止すべく、壁貫通スリーブが壁材の屋内側から屋外側へと低くなる傾斜姿勢で壁材の貫通孔に設置される。一般的に、壁貫通スリーブは、壁貫通孔を貫通する筒状部、及び、壁に固定するためのフランジ部からなる。そして、内壁の外面、又は、内壁及び外壁の間に垂直に立設された防水シートの前面にフランジ部を当接させて防水テープ等で固定することにより、壁貫通スリーブの設置構造を構築する。
【０００３】
例えば、特許文献１は、壁（１）の孔（２）に傾斜姿勢で配置される配管用の孔カバーを開示している。該配管用の孔カバーは、管本体（３）と、該管本体（３）の一端に一体的に形成されたフランジ部（４）と、管本体（３）の外周面に嵌合させる２個の環状の座金（６、１０）と、を備える。これら２個の座金（６、１０）の壁面に接する面が他方の面に対して傾斜していることにより、管本体（３）を屋外に向かって斜め下がりに取り付けることができる。すなわち、特許文献１の設置構造では、フランジ部（４）と壁（１）の間に配置される座金（６、１０）が横断面においてテーパー形状を有していることにより、管本体（３）を水平軸に対して傾斜させて設置可能である。
【先行技術文献】
【特許文献】
【０００４】
【特許文献１】実公昭５１−３８２１８号公報
【発明の概要】
【発明が解決しようとする課題】
【０００５】
特許文献１の配管用の孔カバー（以下、壁貫通スリーブ装置）は、フランジ部と壁面との間に、傾斜断面を有する環状の座金（以下、スペーサ）を配置することにより、管本体を水平軸に対して傾斜配置することができる。しかしながら、このスペーサは、傾斜方向においてフランジ部の上端及び下端に当接するように延びて、フランジ部表面の全てがスペーサ面に当接するようにフランジ部よりも大きく構成されている。そして、当該スペーサは、その実用上の強度を維持する上で、最薄の箇所（傾斜方向の下縁）においても一定以上の厚みを有していなければならない。換言すると、最薄の箇所であってもその物理的厚みが０になることはない。すなわち、特許文献１の壁貫通スリーブ装置では、必然的に、少なくともスペーサの下縁の物理的厚みの分だけ壁面の外方の設置空間にフランジ部を張り出して配置しなければならない。そのため、例えば、壁面（防水シート前面）と外壁との間の空間が狭いなどの設置空間が制限される場合において、その張り出し幅によって設置作業が困難となり、あるいは、壁貫通スリーブの傾斜配置自体が不可能となる虞があった。したがって、当該設置空間を有効に利用すべく、壁貫通スリーブのフランジ部の外方への張り出しを抑えることができる壁貫通スリーブ装置が求められている。
【０００６】
本発明は、上記課題を解決するためになされたものであり、その目的は、壁貫通スリーブを水平軸に対して所望の角度で傾斜させて壁材に設置可能であり、尚且つ、フランジ部を壁面又は防水シートに対して近接配置可能である壁貫通スリーブ装置、スペーサ、壁貫通スリーブの設置方法及びその設置構造を提供することにある。
【課題を解決するための手段】
【０００７】
請求項１に記載の壁貫通スリーブ装置は、
壁材を貫通する壁貫通孔に配置される筒状部、及び、該筒状部から延在するフランジ部を備えた壁貫通スリーブと、
壁面又は防水シートとフランジ部との間に配置され、フランジ部に当接する第１当接面、及び、壁面又は防水シートに当接する第２当接面を有し、壁貫通スリーブを水平軸に対して傾斜させるべく第１当接面及び第２当接面が互いに対して所定角度で傾斜したスペーサと、を備え、
スペーサの第１当接面が傾斜方向においてフランジ部よりも短く形成されており、スペーサがフランジ部と壁面又は防水シートとの間の隙間を部分的に閉塞すると共に、当該隙間が最小となる位置でフランジ部及び壁面又は防水シートの間にスペーサが介在しないことを特徴とする。
【０００８】
請求項２に記載の壁貫通スリーブ装置は、請求項１に記載の壁貫通スリーブ装置において、隙間が最大となる位置でフランジ部の上端がスペーサの第１当接面の上縁に当接し、且つ、フランジ部の下端が壁面又は防水シートに当接可能であることを特徴とする。
【０００９】
請求項３に記載の壁貫通スリーブ装置は、請求項１又は２に記載の壁貫通スリーブ装置において、スペーサの外周の一部には、フランジ部の外周面に当接可能な外枠部が形成されており、第１当接面から延びる外枠部の高さがフランジ部の厚みと等しいことを特徴とする。
【００１０】
請求項４に記載の壁貫通スリーブ装置は、請求項１から３のいずれか一項に記載の壁貫通スリーブ装置において、筒状部は円筒形状を有し、且つ、スペーサには、筒状部の外径に対応する径を有する略円弧状の切り欠き部が設けられており、切り欠き部の開放端の幅が外径よりも狭いことを特徴とする。
【００１１】
請求項５に記載のスペーサは、壁材を貫通する壁貫通孔に配置される筒状部、及び、筒状部から延在するフランジ部を備えた壁貫通スリーブを水平軸に対して傾斜配置すべく、フランジ部と壁面又は防水シートとの間に配置されるスペーサであって、
フランジ部に当接する第１当接面と
該第１当接面に対して所定角度で傾斜した、壁面又は防水シートに当接する第２当接面と、を備え、
第１当接面が傾斜方向においてフランジ部よりも短く形成されており、フランジ部と壁面又は防水シートとの間の隙間を部分的に閉塞すると共に、隙間が最小となる位置でフランジ部及び壁面又は防水シートの間に介在しないように構成されたことを特徴とする。
【００１２】
請求項６に記載のスペーサは、請求項５に記載のスペーサにおいて、隙間が最大となる位置でフランジ部の上端と第１当接面の上縁とを当接させて、フランジ部の下端を壁面又は防水シートに当接可能であることを特徴とする。
【００１３】
請求項７に記載のスペーサは、請求項５又は６に記載のスペーサにおいて、外周の一部にフランジ部の外周面に当接可能な外枠部を備え、第１当接面から延びる外枠部の高さがフランジ部の厚みと等しいことを特徴とする。
【００１４】
請求項８に記載のスペーサは、請求項５から７のいずれか一項に記載のスペーサにおいて、円筒形状を有する筒状部の外径に対応する径で形成された略円弧状の切り欠き部をさらに備え、切り欠き部の開放端の幅が外径よりも狭いことを特徴とする。
【００１５】
請求項９に記載の壁貫通スリーブの設置方法は、壁材を貫通する壁貫通孔に配置される筒状部、及び、筒状部延在するフランジ部を備えた壁貫通スリーブを傾斜姿勢で設置する方法であって、
第１当接面及び該第１当接面に対して所定角度で傾斜した第２当接面を備えるスペーサを選択する工程と、
壁面又は防水シートとフランジ部との間にスペーサを配置する工程と、
第１当接面をフランジ部に当接させると共に第２当接面を壁面又は防水シートに当接させることにより、壁貫通スリーブを水平軸に対して所望の角度で傾斜させて配置する工程と、を含み、
スペーサの第１当接面を傾斜方向においてフランジ部よりも短く形成して、フランジ部と壁面又は防水シートとの間の隙間をスペーサで部分的に閉塞すると共に、隙間が最小となる位置でフランジ部及び壁面又は防水シートの間にスペーサを介在させないことを特徴とする。
【００１６】
請求項１０に記載の壁貫通スリーブの設置方法は、請求項９に記載の設置方法において、隙間が最大となる位置でフランジ部の上端をスペーサの第１当接面の上縁に当接させ、且つ、フランジ部の下端を壁面又は防水シートに当接させた状態で、フランジ部の外周と壁面又は防水シートとの間を少なくとも部分的に閉塞する工程をさらに含むことを特徴とする。
【００１７】
請求項１１に記載の壁貫通スリーブの設置構造は、
壁材と、
該壁材を貫通する壁貫通孔と、
該壁貫通孔に配置された筒状部、及び、該筒状部から延在するフランジ部を備える壁貫通スリーブと、
壁材の壁面又は防水シートと、フランジ部との間に配置され、フランジ部に当接した第１当接面、及び、壁面又は防水シートに当接した第２当接面を有し、壁貫通スリーブが水平軸に対して傾斜するように第１当接面及び第２当接面が互いに対して所定角度で傾斜したスペーサと、を備え、
スペーサの第１当接面が傾斜方向においてフランジ部よりも短く形成されており、スペーサがフランジ部と壁面又は防水シートとの間の隙間を部分的に閉塞していると共に、隙間が最小となる位置でフランジ部及び壁面又は防水シートの間にスペーサが介在していないことを特徴とする。
【発明の効果】
【００１８】
本発明の一実施形態の壁貫通スリーブ装置によれば、第１当接面及び第２当接面が互いに対して所定角度で傾斜した該スペーサを介してフランジ部を壁面又は防水シートに沿って配置することにより、壁面又は防水シートに対してフランジ部の一端（離隔端）を離隔させると共にフランジ部の他端（近接端）を近接させて、壁貫通スリーブを水平軸に対して傾斜させて配置することができる。そして、本発明の壁貫通スリーブ装置では、スペーサの第１当接面が傾斜方向においてフランジ部よりも短く形成されており、スペーサがフランジ部と壁面又は防水シートとの間の隙間を部分的に閉塞すると共に、フランジ部と壁面又は防水シートとの間の距離が最小となる位置（フランジ部の近接端）でフランジ部及び壁面又は防水シートの間にスペーサが介在しない。すなわち、本発明の壁貫通スリーブ装置は、フランジ部の近接端でスペーサが介在しない空間を敢えて形成することにより、フランジ部及び壁面又は防水シート間の距離がスペーサの物理的厚みによって制限される可能性を排除し、フランジ部を壁面又は防水シートに対して、より一層近接配置可能としたものである。したがって、本発明の壁貫通スリーブ装置によれば、フランジ部の設置空間への張り出しを抑えて設置空間を有効利用することが可能である。
【００１９】
本発明のさらなる実施形態の壁貫通スリーブ装置によれば、上記効果に加えて、フランジ部の上端がスペーサの第１当接面の上縁に当接することにより、フランジ部と壁面又は防水シートの最大の隙間をスペーサで閉塞することができる。さらに、フランジ部の下端が壁面又は防水シートに当接することにより、フランジ部の近接端での最小の隙間が実質的に０となる。これにより、フランジ部を水平軸に対して所望の角度で傾斜させた状態で、フランジ部と壁面又は防水シートとの間の距離を最小化することができる。したがって、本発明によれば、フランジ部の設置空間への張り出しを最小限に抑えることが可能である。
【００２０】
本発明のさらなる実施形態の壁貫通スリーブ装置によれば、上記効果に加えて、スペーサの外周の一部に形成された外枠部をフランジの外周面に当接させることにより、位置合わせした状態で、スペーサを壁貫通スリーブに簡単に組み合わせることができる。さらに、外枠部の高さがフランジ部の厚みと等しく構成されてなることにより、壁面又は防水シートとの反対側の一面において、フランジ部表面と外枠部頂面との間で段差を生じることなく、実質的に完全な平坦面を形成することができる。そのため、例えば、防水テープを貼り付けてフランジ部の外周を壁面又は防水シートに固定する際、接着面に気泡を形成することを抑えて、防水テープをしっかりと貼り付けることができる。
【００２１】
本発明のさらなる実施形態の壁貫通スリーブ装置によれば、上記効果に加えて、切り欠き部の開放端の幅が筒状部の外径よりも狭い。そのため、切り欠き部に管状部を挿通するようにスペーサを壁貫通スリーブに配置したときに、該開放端を介してスペーサが壁貫通スリーブから不意に落下する虞を軽減することができる。
【００２２】
本発明の一実施形態のスペーサによれば、第１当接面及び第２当接面が互いに対して所定角度で傾斜した当該スペーサを介してフランジ部を壁面又は防水シートに沿って配置することにより、壁面又は防水シートに対してフランジ部の一端（離隔端）を離隔させると共にフランジ部の他端（近接端）を近接させて、壁貫通スリーブを水平軸に対して傾斜配置することができる。そして、当該スペーサの第１当接面が傾斜方向においてフランジ部よりも短く形成されており、且つ、当該スペーサは、フランジ部と壁面又は防水シートとの間の隙間を部分的に閉塞すると共に、フランジ部と壁面又は防水シートとの間の距離が最小となる位置（フランジ部の近接端）でフランジ部及び壁面又は防水シートの間に介在しないように構成されている。すなわち、本発明のスペーサは、フランジ部の近接端で当該スペーサが介在しない空間を敢えて形成することにより、フランジ部及び壁面又は防水シート間の距離がスペーサの物理的厚みによって制限される可能性を排除し、フランジ部を壁面又は防水シートに対して、より一層近接配置可能としたものである。したがって、本発明のスペーサを利用することにより、フランジ部の設置空間への張り出しを抑えて設置空間を有効利用することが可能である。
【００２３】
本発明の一実施形態の壁貫通スリーブの設置方法によれば、第１当接面及び第２当接面が互いに対して所望の角度で傾斜したスペーサを選択することにより、該スペーサを介してフランジ部を壁面又は防水シートに沿って配置したとき、壁面又は防水シートに対してフランジ部の一端（離隔端）を離隔させると共にフランジ部の他端（近接端）を近接させて、壁貫通スリーブを水平軸に対して所望の角度で傾斜させて配置することができる。そして、本発明の設置方法では、スペーサの第１当接面を傾斜方向においてフランジ部よりも短く形成して、フランジ部と壁面又は防水シートとの間の隙間を部分的にスペーサで閉塞すると共に、フランジ部と壁面又は防水シートとの間の距離が最小となる位置（フランジ部の近接端）でフランジ部及び壁面又は防水シートの間にスペーサを介在させない。すなわち、本発明の設置方法は、フランジ部の近接端でスペーサを介在させない空間を敢えて形成することにより、フランジ部及び壁面又は防水シート間の距離がスペーサの物理的厚みによって制限される可能性を排除し、フランジ部を壁面又は防水シートに対して、より一層近接配置可能としたものである。したがって、本発明によれば、フランジ部の設置空間への張り出しを抑えて設置空間を有効利用した形態で壁貫通スリーブを壁材に設置することが可能である。
【００２４】
本発明のさらなる実施形態の壁貫通スリーブの設置方法によれば、上記効果に加えて、フランジ部の上端がスペーサの第１当接面の上縁に当接することにより、フランジ部と壁面又は防水シートの最大の隙間をスペーサで閉塞することができる。さらに、フランジ部の下端を壁面又は防水シートに当接させることにより、フランジ部の近接端での最小の隙間を実質的に０とすることができる。これにより、フランジ部を水平軸に対して所望の角度で傾斜させた状態で、フランジ部と壁面又は防水シートとの間の距離を最小化することができる。そして、防水テープやコーキング材等でフランジ部の外周と壁面又は防水シートの間の微小な隙間を少なくとも部分的に閉塞することにより、貫通孔に水が流入することを防止することができる。
【００２５】
本発明の一実施形態は、壁貫通スリーブの設置構造によれば、第１当接面及び第２当接面が互いに対して所定角度で傾斜した該スペーサを介してフランジ部を壁面又は防水シートに沿って配置したことにより、壁面又は防水シートに対してフランジ部の一端（離隔端）を離隔させると共にフランジ部の他端（近接端）を近接させて、壁貫通スリーブを水平軸に対して傾斜させた。そして、本発明の設置構造では、スペーサの第１当接面が傾斜方向においてフランジ部よりも短く形成されており、且つ、スペーサがフランジ部と壁面又は防水シートとの間の隙間を部分的に閉塞していると共に、フランジ部と壁面又は防水シートとの間の距離が最小となる位置（フランジ部の近接端）でフランジ部及び壁面又は防水シートの間にスペーサが介在していない。すなわち、本発明の設置構造は、フランジ部の近接端でスペーサが介在していない空間を敢えて形成したことにより、フランジ部及び壁面又は防水シート間の距離がスペーサの物理的厚みによって制限されていない。これにより、フランジ部を壁面又は防水シートに対して、より一層近接配置させたものである。
【図面の簡単な説明】
【００２６】
【図１】本発明の一実施形態の壁貫通スリーブ装置の斜視図。
【図２】図１の壁貫通スリーブ装置の（ａ）正面図及び（ｂ）背面図。
【図３】図１の壁貫通スリーブ装置の（ａ）側面図及び（ｂ）図２（ａ）のＡ−Ａ断面図。
【図４】図１の壁貫通スリーブ装置の壁貫通スリーブの斜視図。
【図５】図４の壁貫通スリーブの（ａ）正面図、（ｂ）背面図及び（ｃ）側面図。
【図６】図１の壁貫通スリーブ装置のスペーサの斜視図。
【図７】図６のスペーサの（ａ）正面図、（ｂ）背面図、（ｃ）底面図及び（ｄ）側面図。
【図８】図７（ａ）のＢ−Ｂ断面図。
【図９】本発明の一実施形態の壁貫通スリーブ設置構造の概略斜視図。
【図１０】図９の壁貫通スリーブ設置構造の概略断面図。
【図１１】図１０の壁貫通スリーブ設置構造において、フランジ部、スペーサ及び防水シートの位置関係を示す模式図。
【図１２】別形態の壁貫通スリーブ設置構造のフランジ部、スペーサ及び防水シートの位置関係を示す模式図。
【図１３】図９の壁貫通スリーブ設置構造を構築する工程を示した模式図。
【図１４】本発明の別実施形態（実施例２）の壁貫通スリーブ設置構造を示す断面図。
【発明を実施するための形態】
【００２７】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。また、本発明における上下左右の方向は、相対的な位置を示す概念にすぎず、これらを入れ替えて適用可能であることは言うまでもない。
【００２８】
（実施例１）
ここで説明する本発明の一実施形態は、内壁Ｗの内側の屋内と外壁Ｗｅｘの外側の屋外とを連通させて防水状態で換気するための壁貫通スリーブ装置１００である。しかしながら、本発明の壁貫通スリーブ装置は、本実施形態の換気用途に限定されることなく、壁貫通スリーブを壁貫通孔に設置する、いずれの用途に用いてもよい。
【００２９】
図１は、一実施形態の壁貫通スリーブ装置１００の斜視図である。図１に示すとおり、壁貫通スリーブ装置１００は、屋内外を換気すべく壁貫通孔に配置される壁貫通スリーブ１１０と、該壁貫通スリーブ１１０を水平軸Ｑに対して傾斜させるためのスペーサ１２０と、を備えてなる。
【００３０】
図２（ａ）及び（ｂ）は、壁貫通スリーブ装置１００の正面図及び背面図であり、図３（ａ）及び（ｂ）は、壁貫通スリーブ装置１００の側面図及び縦断面図である。図２（ａ）及び（ｂ）に示すとおり、本実施形態の壁貫通スリーブ装置１００では、壁貫通スリーブ１１０のフランジ部１１２前面及びスペーサ１２０の外枠部１２３端面が正面側に露出し、且つ、フランジ部１１２裏面の下側部分及びスペーサ１２０裏面（第２当接面１２２）が背面側に露出している。そして、壁貫通スリーブ１１０の溝付き連結部１１３の先端が正面で開口し、且つ、筒状部１１１の先端が背面で開口している。すなわち、スペーサ１２０が壁貫通スリーブ１１０の筒状部１１１の外周上に跨って配置されており、壁貫通スリーブ１１０の背面からフランジ部１１２の上方の過半領域をスペーサ１２０が覆っている。
【００３１】
図３（ａ）及び（ｂ）に示すとおり、壁貫通スリーブ装置１００の前後を貫通するように、壁貫通スリーブ１１０の筒状部１１１及び溝付き連結部１１３で定められた換気用の貫通路が延びている。そして、壁貫通スリーブ１１０のフランジ部１１２裏面にスペーサ１２０前面（第１当接面１１２）が面で当接するように、壁貫通スリーブ１１０にスペーサ１２０が組み合わされている。このとき、フランジ部１１２裏面の上端及び両側端とスペーサ１２０の第１当接面１１２の上縁及び両側端とが合致し、尚且つ、該フランジ部１１２上端面及び両側端面がスペーサ１２０の外枠部１２３によって外側から覆われている。そして、図３（ａ）に示すとおり、壁貫通スリーブ装置１００の前面において、フランジ部１１２前面と外枠部１２３端面とが協働して平坦面を形成している。
【００３２】
この壁貫通スリーブ装置１００では、その正面をなすフランジ部１１２前面が壁貫通スリーブ１１０のスリーブ軸Ｐと直交しており、他方、壁貫通スリーブ装置１００の背面をなすスペーサ１２０裏面（第２当接面１２２）がスリーブ軸Ｐの直交軸から所定角度ずれている。すなわち、後述するように、壁貫通スリーブ装置１００の第２当接面１２２をスリーブ軸Ｐに直交するフランジ部１１２に対して傾斜させたことにより、第２当接面１２２を（垂直面を有する）壁面又は防水シートに面接触させたときに、スリーブ軸Ｐを水平軸Ｑから傾斜させて配置することができる。
【００３３】
さらに、この壁貫通スリーブ装置１００の裏面では、フランジ部１１２の下端近傍までスペーサ１２０が延在していない。すなわち、後述するが、壁貫通スリーブ装置１００を設置したとき、壁面又は防水シートとフランジ部１１２との間の隙間の一部（すなわち、フランジ部１１２の上方過半領域）をスペーサ１２０が閉塞可能であり、且つ、隙間が最小となるフランジ部１１２の下端近傍でスペーサ１２０が存在していない。
【００３４】
次に、一実施形態の壁貫通スリーブ装置１００の各構成要素を図４〜図８を参照して、より詳細に説明する。
【００３５】
図４は、壁貫通スリーブ装置１００の壁貫通スリーブ１１０の斜視図であり、図５（ａ）、（ｂ）及び（ｃ）は、壁貫通スリーブ１１０の正面図、背面図及び側面図である。図４に示すとおり、壁貫通スリーブ１１０は、壁材を貫通可能な長さで一方側に延びる略円筒形状の筒状部１１１と、該筒状部１１１の直交方向に延在するフランジ部１１２と、該フランジ部１１２から他方側に延びる、外周に複数の溝を有する溝付き連結部１１３と、を備える。
【００３６】
図５（ａ）及び（ｂ）に示すとおり、筒状部１１１及び溝付き連結部１１３は連通しており、その先端でそれぞれ開口している。該筒状部１１１及び溝付き連結部１１３は正面視（又は横断面視）で略円形状を有しており、筒状部１１１の外径の方が溝付き連結部１１３の外径よりも大きい。後述するように、筒状部１１１の先端は、内壁の屋内側から配管キャップ１４０を嵌め込み可能に構成されており、且つ、外壁の屋外側から配管キャップ１４０を嵌め込み可能に構成されている（図９参照）。そして、筒状部１１１及び溝付き連結部１１３の中心を通って、これらの長手方向に沿って延びる軸をスリーブ軸Ｐと定めた（図５（ｃ）参照）。
【００３７】
当該壁貫通スリーブ１１０のフランジ部１１２は、略正方形の平坦な薄板形状で形成されてなり、その４隅が面取り加工されている。そして、フランジ部１１２の傾斜方向の長さである縦幅をＬ２と定めた。該フランジ部１１２は、筒状部１１１及び溝付き連結部１１３と一体的に形成されている。そして、該フランジ部１１２の平面がスリーブ軸Ｐと直交すると共にスリーブ軸Ｐがフランジ部１１２の中心を貫通している。さらに、該フランジ部１１２には、スペーサ１２０と共に壁又は横木等の造営材に木ネジ等で固定するための第１の固定部１１４が４隅に形成されている。この固定部１１４は木ネジで打ち抜き可能であるように肉薄に形成されている。
【００３８】
なお、本実施形態の壁貫通スリーブ１１０は、硬質の合成樹脂を一体成形することによって作製された。しかしながら、本発明は、一実施形態の製法及び材質に限定されるものではない。例えば、合成樹脂で成形する代わりに、金属板を溶接して作製することも可能である。あるいは、壁貫通スリーブのフランジ部及び筒状部を一体成形せずに、別体として組み立ててもよい。また、本実施形態の壁貫通スリーブ１１０では、筒状部１１１が断面視円形状に形成され、且つ、フランジ部１１２が正方形状に形成されているが、本発明はこれに限定されず、使用状況に応じて、これら形状を任意に設計することが可能である。例えば、筒状部の断面形状を多角形に形成し、又は、フランジ部の形状を円形状に形成してもよい。
【００３９】
図６は、壁貫通スリーブ装置１００のスペーサ１２０の斜視図であり、図７（ａ）〜（ｄ）は、正面図、背面図、底面図及び側面図である。本実施形態のスペーサ１２０は、直線上に延びる上縁、該上縁から略直角に延びる両側縁、該上縁に平行に延びる下縁、及び、該下縁が上方に切り欠かれて形成された円弧状の内縁によって縁取られている。そして、フランジ部１１２と同様に、スペーサ１２０の上辺の２隅が面取りされている。つまり、スペーサ１２０は、正面視又は背面視において、上述のフランジ部１１２を下側寄りの箇所で横幅方向に切断した形状に類似している。
【００４０】
図６及び図７に示すとおり、当該スペーサ１２０は、当該壁貫通スリーブ装置１００の正面側に配置される第１当接面１２１と、該第１当接面１２１の裏側にある第２当接面１２２と、を備える。第１当接面１２１は、平坦面であり、フランジ部１１４の裏面（筒状部１１１が突出する側の面）に面接触可能に構成されている。図２及び図３で示したとおり、第１当接面１２１は、フランジ部１１２とほぼ等しい横幅を有するが、縦方向（すなわち傾斜方向）では、第１当接面１２１がフランジ部１１２よりも短く形成されてなる。また、当該第１当接面１２１の上縁及び両側縁（すなわち、下縁を除いた外周）に隣接して外枠部１２３が形成されている。他方、第２当接面１２２は、第１当接面１２１の裏面で縦横に延びるリブ１２５の（同一平面上に並ぶ）端面からなり、防水シートＳ（又は壁材の壁面）に面接触可能に構成されている。このリブ１２５は、該第２当接面１２２の内方で縦横に延びると共に内外周縁を縁取っており、スペーサ１２０の上縁から下縁にかけて、その突出幅が低くなっている。つまり、スペーサ１２０の厚みがその上縁で最も厚くなり、且つ、その下縁で最も薄くなるように、リブ１２５の突出幅が直線的に変化している（図７（ｄ）参照）。さらに、このリブ１２５と連接するように、第２当接面１２２の上縁の２隅において、壁貫通スリーブ１１０の第１の固定部１１４に対応する第２の固定部１２６が設けられている。なお、該スペーサ１２０においてリブ１２５端面で第２当接面１２２を形成したことにより、スペーサ１２０全体の体積を減少させることができる。これにより、材料コストの削減やスペーサの軽量化といった付加的な効果を奏する。しかしながら、本発明の第２当接面はこの形態に限定されない。例えば、第２当接面は、リブ１２５を縦横に形成する代わりに第１当接面１２１と同様の平坦な表面であってもよい。
【００４１】
図７（ａ）及び（ｂ）に示すとおり、該スペーサ１２０には、その下縁に開放端１２４ａを有する切り欠き部１２４が形成されている。この切り欠き部１２４は、正面視において筒状部１１１の外径に対応する円弧として形成されてなる。また、切り欠き部１２４の円弧の中心軸は、スペーサ１２０を壁貫通スリーブ１１０に組み合わせたときに、筒状部１１１と同心となるように構成されている。そして、切り欠き部１２４の円弧の中心角は１８０度よりも大きい。すなわち、スペーサ１２０の下縁において、円弧の直径（筒状部１１１の外径）よりも狭まった幅の開放端１２４ａが形成されている。この切り欠き部１２４に挿通された筒状部１１１は、この開放端１２４ａを通過することができない。
【００４２】
図７（ｃ）及び（ｄ）に示すとおり、スペーサ１２０は、側面視において、その厚みが上端から下端に向かって一定の割合で薄くなるように形成された略台形形状を有している。すなわち、第１当接面１２１が第２当接面１２２に対して相対的に傾斜している。さらに、図７（ｄ）に示すように、外枠部１２３は、この第１当接面１２１の上縁及び側縁で一定の高さで立設している。この外枠部１２３の第１当接面１２１からの高さ（第１当接面１２１から外枠部１２３端面までの距離）は、フランジ部１１２の厚みとほぼ等しくなるように設計されている。
【００４３】
図８は、スペーサ１２０の中心軸を通る縦断面図である。図８を参照して、スペーサ１２０の形状寸法をより詳細に説明する。図８に示すとおり、スペーサ１２０の第１当接面１２１は、傾斜方向に沿った上縁から下縁までの長さＬ１を有する。なお、長さＬ１は、外枠部１２３の厚みは含まない概念である。この長さＬ１は、フランジ部１１２の縦幅Ｌ２よりも小さくなるように設定されている。また、該スペーサ１２０では、第１当接面１２１及び第２当接面１２２が傾斜角αで相対的に傾斜している。この傾斜角αは、壁貫通スリーブ１１０のスリーブ軸Ｐと水平軸Ｑとの傾斜角に対応しており、スリーブ軸Ｐの所望の傾斜角を得るべく、任意に設定することができる。他方、該スペーサ１２０の外周面と第２当接面１２２とは略直角に形成されている。そして、スペーサ１２０の上縁は最大厚みｔ１を有し、下縁は最小厚みｔ２を有する。なお、長さＬ１及び厚みｔ２は、長さＬ１が縦幅Ｌ２よりも小さくなるように任意に選択可能であるが、少なくともスペーサ１２０が脆弱でない実用的な強度を有する、又は、成形容易な範囲で形成されるように設定されることが好ましい。すなわち、この最小厚みｔ２が薄くなるほど、スペーサ自体が脆くなり、尚且つ、スペーサの成形が困難となるため、実用性を踏まえると厚みｔ２が０．５ｍｍ以上であることが好ましい。
【００４４】
さらに、図８の示すように、第１当接面１２１を下方に延長した仮想線と、第２当接面１２２を下方に延長した仮想線とが交わり、仮想の略直角三角形を形成する。換言すると、スペーサ１２０は、仮想直角三角形の先端部分を切除した台形形状を有する。この仮想の直角三角形の斜辺の長さ（第１当接面１２１の上縁から仮想線の交点までの距離）をＬ１’と定義する。このとき、厚みｔ１、傾斜角α及び仮想斜辺長Ｌ１’の関係は、
Ｌ１’＝ｔ１／ｓｉｎ（α）  ［式１］
で表される。すなわち、選択した所望の傾斜角αに対して、厚みｔ１を変化させることにより、仮想斜辺長Ｌ１’を決定することができる。後述するとおり、この仮想斜辺長Ｌ１’及びフランジ部１１２の縦幅Ｌ２の関係により、フランジ部１１２と防水シートＳ（又は壁面）との間の最小距離ｄが定まる。
【００４５】
なお、本実施形態のスペーサ１２０は、硬質の合成樹脂を一体成形することによって作製された。しかしながら、本発明は、一実施形態の製法及び材質に限定されるものではない。例えば、合成樹脂で成形する代わりに、金属や木材等の素材で作製することも可能である。また、スペーサの形状は一実施形態のスペーサ１２０に限定されるものではない。すなわち、スペーサは、少なくとも第１当接面及び第２当接面が傾斜角αで互いに傾斜し、且つ、第１当接面の長さＬ１がフランジ部の縦幅（傾斜方向の長さ）Ｌ２よりも短ければよく、例えば、対応するフランジ部の形状等に合わせて任意に設計可能である。さらに、スペーサの形状として、切り欠き部が真円であり、又は、切り欠き部の中心角が１８０度以下であってもよく、あるいは、外枠部を省略してもよい。
【００４６】
図９は、一実施形態の壁貫通スリーブ装置１００を用いた壁貫通スリーブ設置構造１０の斜視図である。なお、図９では、説明を明瞭にするために、外壁Ｗｅｘ及び配管キャップ１４０を内壁（壁材）Ｗ及び壁貫通スリーブ装置１００から離して記載している。また、図１０は、図９の壁貫通スリーブ設置構造１０の壁貫通孔中心で垂直方向に沿って切断した縦断面図である。図１０では、説明のために配管キャップ１４０を省略した。
【００４７】
図９及び図１０に示すとおり、屋内側の間柱側面に内壁Ｗが立設され、屋外側の間柱側面に防水シートＳが張設されている。これら内壁Ｗの壁面及び防水シートＳの平面は略垂直に延在している。そして、２本の間柱の間には、２本の横木Ｔが架設されている。さらに、防水シートＳの前面に胴縁材（図示せず）が形成され、該胴縁材の前面に外壁Ｗｅｘが立設される。さらに、防水シートＳ、内壁Ｗ及び外壁Ｗｅｘに略同形状の貫通孔Ｈ１、Ｈ２、Ｈ３がそれぞれ穿設され、各貫通孔Ｈ１、Ｈ２、Ｈ３は同心状に配置されており、互いに連通している。すなわち、内壁Ｗ、防水シートＳ及び外壁Ｗｅｘの各貫通孔Ｈ１〜３の中心が水平軸Ｑに沿って並んでいる。そして、壁貫通スリーブ装置１００で防水シートＳ、内壁Ｗ及び外壁Ｗｅｘを貫通する換気用の貫通路を形成すべく、壁貫通スリーブ１１０が全貫通孔Ｈ１〜３を通って配置されている。
【００４８】
図１０を参照してより詳細に説明すると、フランジ部１１２及びスペーサ１２０が外壁Ｗｅｘと防水シートＳとの間の設置空間に位置し、且つ、溝付き連結部１１３が外壁Ｗｅｘの貫通孔Ｈ３内に配置されている。他方、壁貫通スリーブ１１０の筒状部１１１が後方に延びており、防水シートＳの貫通孔Ｈ１を貫通すると共に内壁Ｗの貫通孔Ｈ２内まで延びている。このとき、２本の横木Ｔが貫通スリーブ１１０を上下から挟み込むように位置している。そして、スペーサ１２０の第１当接面１２１がフランジ部１１２の裏面に当接していると共に、第２当接面１２２が防水シートＳの前面に当接している。すなわち、スペーサ１２０の厚み分だけフランジ部１１２が外壁Ｗｅｘ側に移動したことで、スペーサ１２０の傾斜角α分だけフランジ部１１２が傾いている。その結果、筒状部１１１及び溝付き連結部１１３の中心を通るスリーブ軸Ｐが水平軸Ｑに対して、傾斜角αで外壁Ｗｅｘ側に斜め下がりに傾斜している。このとき、フランジ部１１２上端と防水シートＳとの間の隙間が最大であり、フランジ部１１２下端と防水シートＳとの隙間が最小となっている。つまり、フランジ部１１２上端が離隔端であり、フランジ部１１２下端が近接端である。
【００４９】
また、当該壁貫通スリーブ設置構造１０では、フランジ部１１２の上端とスペーサ１２０の上縁とが合致しており、スペーサ１２０が介在する上方の過半部分において、フランジ部１１２と防水シートＳとの間の隙間がスペーサ１２０で閉塞されている。そして、スペーサ１２０の第１当接面１２１の長さＬ１がフランジ部１１２の縦幅Ｌ２よりも短いため、フランジ部１１２の近接端付近では、フランジ部１１２と防水シートＳとの間にスペーサ１２０が介在していない。図１０の壁貫通スリーブ設置構造１０では、フランジ部１１２下端が防水シートＳに当接している。
【００５０】
さらに、この壁貫通スリーブ設置構造１０において、フランジ部１１２とスペーサ１２０とが防水シートＳを介して木ネジ１３２で横木Ｔ（造営材の一部）に固定されている。また、フランジ部１２０の上端及び側端と防水シートＳとの間を止水状態で封止するように防水テープ１３０がその前面から貼着されている。このとき、図１０に示すように、スペーサ１２０の外枠部１２３の端面とフランジ部１１２前面とが面一になっている。そのため、防水テープ１３０の接着面に気泡が生じることを抑え、フランジ部１１２及びスペーサ１２０を防水シートＳに止水状態でしっかりと接着することができる。
【００５１】
図１１は、図１０の壁貫通スリーブ設置構造１０のフランジ部１１２、スペーサ１２０及び防水シートＳの三者の位置関係を示した模式図である。すなわち、図１１では説明に不要な構成を省略した。図１１を参照して、該壁貫通スリーブ設置構造１０におけるフランジ部１１２及びスペーサ１２０の各形状寸法Ｌ１、Ｌ１’、Ｌ２、αの関係を説明する。なお、この図１１の形態では、フランジ部１１２下端が防水シートＳの前面に接触している。すなわち、隙間が最小となるフランジ部１１２の近接端におけるフランジ部１１２と防水シートＳとの間の距離が０である。図１１に示すとおり、フランジ部１１２裏面がスペーサ１２０の仮想三角形の斜辺上に配置されており、スペーサ１２０の仮想斜辺長Ｌ１’とフランジ部１１２の縦幅Ｌ２（＞Ｌ１）とが等しい。つまり、図１０及び１１の形態のように、フランジ部１１２の防水シートＳからの張り出しを最小化（最小距離ｄ〜０）するには、Ｌ２＝Ｌ１’（＝ｔ１／ｓｉｎ（α））の関係を満たすように、スペーサ１２０の厚みｔ１及び傾斜角αを設定することが好ましい。
【００５２】
図１２は、図１１の形態から縦幅Ｌ２及び傾斜角αを変化させずに厚みｔ１だけを増加させた壁貫通スリーブ設置構造１０’の模式図である。この形態では、スペーサ１２０の仮想斜辺長Ｌ１’がＬ２よりも大きく、フランジ部１１２の下端が防水シートＳ前面から距離ｄで離隔している。つまり、フランジ部１１２の近接端と防水シートＳとの間の距離ｄが０よりも大きい。そして、仮想斜辺長Ｌ１’、縦幅Ｌ２、傾斜角α及び距離ｄの関係は、
ｄ＝（Ｌ１’−Ｌ２）ｓｉｎ（α）  ［式２］
で表される。そして、式１及び式２を組み合わせると、
ｄ＝（ｔ１／ｓｉｎ（α）−Ｌ２）ｓｉｎ（α）  ［式３］
となる。したがって、フランジ部１１２の縦幅Ｌ２に応じて、スペーサ１２０の厚みｔ１及び傾斜角αを選択することにより、フランジ部１１２の張り出し幅（距離ｄ）を任意に調整することができる。換言すると、フランジ部１１２の近接端では、スペーサ１２０が介在していないので、スペーサ１２０の物理的厚みに距離ｄが制限されることなく、高い自由度で距離ｄを設定できる。
【００５３】
他方、図示しないが、図１１の形態からスペーサ１２０の傾斜角αを変化させずに厚みｔ１を減少させた場合、フランジ部１１２が接する仮想斜辺長Ｌ１’がその縦幅Ｌ２よりも小さくなる。そのため、フランジ部１１２の下端が防水シートＳにぶつかり、あるいは、フランジ部１１２とスペーサ１２０との間に空隙が生じ、スペーサ１２０の第１当接面１２１及び第２当接面１２２の両方をフランジ部１１２裏面及び防水シートＳに同時に面接触させることが困難となる。しかしながら、防水シートＳが柔軟な材質であれば、フランジ部１２２の下端を防水シートＳの軟質な平面に食い込ませることにより、フランジ部１１２、スペーサ１２０及び防水シートＳを密着させて配置させることができる。つまり、防水シートＳの素材に応じて、スペーサ１２０の形状を距離ｄ＜０となるように設計して密着の度合いを高めることも可能である。
【００５４】
なお、本実施形態の壁貫通スリーブ装置１００では、Ｌ１＝１５８ｍｍ、Ｌ２＝２３０ｍｍ、ｔ１＝８ｍｍ、ｔ２＝２．５ｍｍ、α＝２°である。式１に基づいてスペーサ１２０の仮想三角形の斜辺長Ｌ１’を計算すると、Ｌ１’＝２２９．２ｍｍとなる。すなわち、この実施形態では、斜辺長Ｌ１’がフランジ部１１２の縦幅Ｌ２とほぼ等しくなるようにスペーサ１２０が設計されているため、距離ｄが実質的に０となる。しかしながら、本発明は、上記形状寸法に限定されることなく、その形状寸法を任意に設定可能である。また、本実施形態の壁貫通スリーブ設置構造１０では、屋内側から屋外側にかけて筒状部１１１が下がるように配置されているが、本発明はこれに限定されない。すなわち、状況に応じて、スペーサ１２０を上下反転させて配置することにより、屋外側から屋内側にかけて筒状部１１１が下がるように設置してもよい。
【００５５】
次に、図１３を参照して、壁貫通スリーブ設置構造１０を構築すべく壁貫通スリーブ１１０を設置する方法を説明する。最初に、スリーブ軸Ｐの所望の傾斜角に応じて、所定の傾斜角αを有するスペーサ１２０を選択する。次いで、防水シートＳとフランジ部１１２との間にスペーサ１２０を配置すべく、壁貫通スリーブ１１０のフランジ部１１２の裏面側にスペーサ１２０を組み合わせる。このとき、スペーサ１２０の第１当接面１２１の上縁をフランジ部１１２の上端に当接させた状態で、第１当接面１２１をフランジ部１１２の裏面に面接触させる。この工程では、スペーサ１２０の外枠部１２３内側面をフランジ部１１２の上端及び側端の端面に係合させて配置することで、簡単に両者を位置決め及び固定することができる。さらに、スペーサ１２０の切り欠き部１２３の開放端が狭まっているので、スペーサ１２０が壁貫通スリーブ１１０の筒状部１１１上に跨った状態から開放端１２４ａを介して脱落することが防止される。なお、フランジ部１１２とスペーサ１２０とを一時的に連結するために両面テープや接着剤等を使用してもよい。
【００５６】
続いて、壁貫通スリーブ１１０の筒状部１１１を防水シートＳの貫通孔Ｈ１及び内壁Ｗの貫通孔Ｈ２内に挿入すると共にスペーサ１２０の第２当接面１２２を防水シートＳの垂直面に当接させることにより、壁貫通スリーブ１１０のスリーブ軸Ｐを水平軸Ｑに対して所望の角度αで傾斜させて配置する。このとき、スリーブ軸Ｐが左右に傾かないように、防水シートＳに予め記された罫書きに沿って壁貫通スリーブ装置１００を防水シートＳに宛がってもよい。そして、フランジ部１１２の第１の固定部１１４及びスペーサ１２０の第２の固定部１２６に木ネジ１３２を貫通させることにより、壁貫通スリーブ装置１００を防水シートＳ（横木Ｔ）に固定することができる。次いで、フランジ部１１２の外周（及び外枠部１２３端面）の少なくとも一部と防水シートＳとの間を防水テープ１３０で閉塞することにより、壁貫通スリーブ設置構造１０を構築する。
【００５７】
さらに追加の工程として、防水シートＳ前面に外壁Ｗｅｘが立設され、当該外壁Ｗｅｘの貫通孔Ｈ３を介して配管キャップ１４０が溝付き連結部１１３に嵌め込まれると共に、内壁Ｗの貫通孔Ｈ２を介して配管キャップ１４０が筒状部１１１の先端に嵌め込まれる（図９参照）。その結果、屋内外を連通する防水換気装置が設置される。なお、ここで説明した方法は、一例にすぎず、当業者であれば、各工程の順序を入れ替え、又は、不要な工程を省略することも可能である。
【００５８】
以下、本発明に係る一実施形態の壁貫通スリーブ装置１００（スペーサ１２０、壁貫通スリーブ設置方法及び壁貫通スリーブ設置構造１０）における作用効果について説明する。
【００５９】
一実施形態の壁貫通スリーブ装置１００（スペーサ１２０、壁貫通スリーブ設置方法及び壁貫通スリーブ設置構造１０）によれば、スペーサ１２０の第１当接面１２１及び第２当接面１２２が互いに対して所定角度αで傾斜している。そのため、該スペーサ１２０を介してフランジ部１１２を防水シートＳ（又は内壁Ｗ壁面）に宛がって固定することにより、防水シートＳに対してフランジ部１１２の上端を離隔させると共にフランジ部１１２の下端を近接させて、壁貫通スリーブ１１０のスリーブ軸Ｐを水平軸Ｑに対して傾斜させて配置することができる。また、本実施形態の壁貫通スリーブ装置１００では、傾斜方向において、スペーサ１２０の第１当接面１２１の上縁から下縁までの長さＬ１がフランジ部１１２の縦幅Ｌ２よりも短く形成されている。そして、フランジ部１１２の上端を第１当接面１２１の上縁に合致させて配置した場合、スペーサ１２０がフランジ部１１２と防水シートＳとの間の隙間の上方の過半部分を閉塞すると共に、フランジ部１１２と防水シートＳとの間の距離ｄが最小となる位置でフランジ部１１２及び防水シートＳの間にスペーサ１２０が介在しない。すなわち、本実施形態の壁貫通スリーブ装置１００は、フランジ部１１２の近接端でスペーサ１２０が介在しない空間を敢えて形成することにより、フランジ部１１２及び防水シートＳ間の最小距離ｄがスペーサ１２０の物理的厚みによって制限される可能性を排除し、フランジ部１１２を防水シートＳに対して、より一層近接配置可能としたものである。その上、距離ｄは、フランジ部１１２の形状（縦幅Ｌ２）に応じて、スペーサ１２０の形状（傾斜角α、厚みｔ１）を選択することにより自由に設計可能である。したがって、本実施形態の壁貫通スリーブ装置１００によれば、フランジ部１１２の設置空間への張り出しを抑えて設置空間を有効利用することが可能である。
【００６０】
さらに、一実施形態の壁貫通スリーブ装置１００は、筒状部１１１とフランジ部１１２とが直交した壁貫通スリーブ１１０と、所定の傾斜角αで形成されたスペーサ１２０とを組み合わせてなる。このような形状の壁貫通スリーブ１１０は一般的に入手可能である。そして、この壁貫通スリーブ１１０を種々の形状のスペーサ１２０と組み合わせて使用することにより、本実施形態の壁貫通スリーブ装置１００は高い汎用性を発揮する。例えば、スリーブ軸Ｐの所望の傾斜角が多岐に亘る場合であっても、複数のスペーサ形状の中から所望の形状のスペーサ１２０を選択して、１つの壁貫通スリーブ１１０に組み合わせることにより、簡単に対応することができる。その上、１つの（例えば、既製品の）壁貫通スリーブ１１０に対して、１又は複数のスペーサ１２０を後付けで組み合わせることにより、必要とされる壁貫通スリーブ装置１００を構成することができ、壁貫通スリーブを設置する際のコストを大幅に改善することができる。
【００６１】
（実施例２）
一実施形態の壁貫通スリーブ設置構造１０では、防水シートＳ前面に壁貫通スリーブ装置１００が設置されたが、本発明はこれに限定されない。例えば、図１４の設置構造２０のように、貫通孔Ｈ４が穿設された１枚の壁材（内壁又は外壁）Ｗ’の壁面に壁貫通スリーブ装置１００を直接的に設置することもできる。図１４に示すとおり、スペーサ１２０の第１当接面１２１が壁貫通スリーブ１１０のフランジ部１１２裏面に当接し、且つ、第２当接面１２２が壁材Ｗ’の壁面に直接的に当接している。その結果、壁貫通スリーブ設置構造２０では、壁貫通スリーブ１１０のスリーブ軸Ｐが水平軸Ｑに対して傾斜角αだけ傾斜した姿勢で筒状部１１１が貫通孔Ｈ４を貫通している。なお、壁材Ｗ’が外壁である場合、防水テープ１３０では経時とともにその接着力が低下するので、防水テープ１３０に代えてコーキング材を使用してもよい。
【００６２】
本発明は上述した実施形態や変形例に限定されるものではなく、本発明の技術的範囲に属する限りにおいて種々の態様で実施しうるものである。
【符号の説明】
【００６３】
１０      壁貫通スリーブの設置構造
１００    壁貫通スリーブ装置
１１０    壁貫通スリーブ
１１１    筒状部
１１２    フランジ部
１１３    溝付き連結部
１１４    第１の固定部
１２０    スペーサ
１２１    第１当接面
１２２    第２当接面
１２３    外枠部
１２４    切り欠き部
１２４ａ  開放端
１２５    リブ
１２６    第２の固定部
１３０    防水テープ
α        傾斜角
ｄ        フランジ部と防水シート（又は壁面）との最小距離
Ｌ１      第１当接面の傾斜方向の長さ
Ｌ２      フランジ部の縦幅（傾斜方向の長さ）
ｔ１      スペーサの最大厚み
ｔ２      スペーサの最小厚み
Ｐ        スリーブ軸
Ｑ        水平軸
Ｗ        内壁（壁材）
Ｓ        防水シート
Ｈ１〜３  貫通孔（壁貫通孔）
【図１】
2015078741.tif 000003
【図２】
2015078741.tif 000004
【図３】
2015078741.tif 000005
【図４】
2015078741.tif 000006
【図５】
2015078741.tif 000007
【図６】
2015078741.tif 000008
【図７】
2015078741.tif 000009
【図８】
2015078741.tif 000010
【図９】
2015078741.tif 000011
【図１０】
2015078741.tif 000012
【図１１】
2015078741.tif 000013
【図１２】
2015078741.tif 000014
【図１３】
2015078741.tif 000015
【図１４】
2015078741.tif 000016